(57)【要約】      （修正有）【課題】キャディバッグを形成する枠体の構造の体積を最大限に減少することが可能であり、在庫の体積を減少させ、運輸のコストを減少することが可能であり、利用したいときに、組み立てが容易なキャディバッグを提供する。【解決手段】複数の支え棒１０と、その周縁には、複数の支え棒１０に対応する複数の底固定片２１が配列されている底リング２０と、その周縁には、複数の支え棒１０に対応する複数の上固定片３１が配列されている上リング３０と、複数の支え棒１０の両端は、複数の底固定片２１と複数の上固定片３１に、それぞれ固定されることにより、収容空間６０が形成され、複数の支え棒１０に固定されており、底リング２０と上リング３０の間に位置する少なくとも一つのリング４０と、収容空間６０をカバーして固定されるバッグカバーと、を含む。【選択図】図２
0003195498.tif 000002
【実用新案登録請求の範囲】
【請求項１】
複数の支え棒（１０）と、
その周縁に、前記複数の支え棒（１０）に対応する複数の底固定片（２１）が配列されている底リング（２０）と、
その周縁に、前記複数の支え棒（１０）に対応する複数の上固定片（３１）が配列されている上リング（３０）と、
前記複数の支え棒（１０）の両端が、前記複数の底固定片（２１）と前記複数の上固定片（３１）に、それぞれ固定されていることにより収容空間（６０）が形成され、
前記複数の支え棒（１０）に固定されており、前記底リング（２０）と前記上リング（３０）の間に位置する少なくとも一つのリング（４０）と、
前記収容空間（６０）をカバーして固定されるバッグカバー（５０）と、
を含むことを特徴とするキャディバッグ。
【請求項２】
締結子（７０）の締結により、前記複数の支え棒（１０）の両端は、前記複数の底固定片（２１）と、前記複数の上固定片（３１）とにそれぞれ固定されていることを特徴とする、請求項１に記載のキャディバッグ。
【請求項３】
前記少なくとも一つのリング（４０）は、それぞれ前記複数の支え棒（１０）に対応する複数の係合溝（４１）を有し、前記複数の支え棒（１０）は前記複数の係合溝（４１）にそれぞれ係合されていることを特徴とする、請求項１に記載のキャディバッグ。
【請求項４】
前記上リング（３０）にヘッド枠（８０）が結合されていることを特徴とする、請求項１に記載のキャディバッグ。
【請求項５】
前記バッグカバー（５０）に固定構造（５１）が設けられており、前記固定構造（５１）により、前記バッグカバー（５０）は前記収容空間（６０）をカバーして固定されることを特徴とする、請求項１に記載のキャディバッグ。
【請求項６】
前記複数の支え棒（１０）は、互いに同じ高さに設けられた複数の固定リング（９０）を有し、前記底リング（２０）、前記上リング（３０）及び前記少なくとも一つのリング（４０）には、前記固定リング（９０）と結合するための結合リング（９１）がそれぞれ設けられていることを特徴とする、請求項１に記載のキャディバッグ。
【請求項７】
前記複数の支え棒（１０）の前記底リング（２０）が固定されている位置よりも低い部分は、外側へ徐々に屈折する支持部（１１）が形成されることを特徴とする、請求項１に記載のキャディバッグ。
【考案の詳細な説明】
【技術分野】
【０００１】
本考案は、キャディバッグに関し、特に、キャディバッグの構造に関するものである。
【背景技術】
【０００２】
ゴルフは、スキルが要求されるスポーツであり、運動強度が高くなく、様々な地形の芝の上を歩き、ゴルフクラブを振る。そしてゴルフは、世界中で人気のあるスポーツの一つであり、青少年からお年寄りまでプレイすることが可能である。
【０００３】
図１を参照する。図１は従来のキャディバッグの構造を示す斜視図である。ゴルフでは各種の状況に合わせてボールを打撃するため、複数のタイプのゴルフクラブを用意することが必要であり、それらのゴルフクラブを収容するキャディバッグ１が必要となる。従来のキャディバッグ１の主な構成は円筒状ポリエチレンシート２である。円筒状ポリエチレンシート２は、その周面がバッグカバー３により覆われており、その上にヘッド枠４が取り付けられている。ヘッド枠４は複数の挿入開口５を有する。ゴルフクラブは、挿入開口５から円筒状ポリエチレンシート２に差し込んで収納する。
【０００４】
このようなキャディバッグ１は、主な構造が円筒状ポリエチレンシート２であるため、体積が大きく、収納が極めて不便であり、運輸のコストが高く、そして生産時には、円筒状ポリエチレンシート２にバッグカバー３を縫製することが必要であるため、工数が掛かり、生産コストが高い。このようなキャディバッグ１は、価格が高いため売るのが難しい。
【考案の概要】
【考案が解決しようとする課題】
【０００５】
本考案の主な目的は、キャディバッグを形成する枠体の構造の体積を最大限に減少することであり、在庫の体積を減少させ、運輸のコストを減少することが可能であり、利用したいときに、組み立てが容易なキャディバッグを提供することにある。
【課題を解決するための手段】
【０００６】
本考案のキャディバッグによると、複数の支え棒（１０）と、その周縁に、複数の支え棒（１０）に対応する複数の底固定片（２１）が配列されている底リング（２０）と、その周縁に、複数の支え棒（１０）に対応する複数の上固定片（３１）が配列されている上リング（３０）と、複数の支え棒（１０）の両端が、複数の底固定片（２１）と複数の上固定片（３１）にそれぞれ固定されていることにより、収容空間（６０）が形成され、複数の支え棒（１０）に固定されており、底リング（２０）と上リング（３０）の間に位置する少なくとも一つのリング（４０）と、収容空間（６０）をカバーして固定されるバッグカバー（５０）とを含むことを特徴とする。
【０００７】
本考案のキャディバッグによると、締結子７０の締結により、複数の支え棒１０の両端部は、複数の底固定片２１と、複数の上固定片３１とにそれぞれ固定されていることを特徴とする。
【０００８】
本考案のキャディバッグによると、少なくとも一つのリング４０は、それぞれ複数の支え棒１０に対応する複数の係合溝４１を有し、複数の支え棒１０は複数の係合溝４１にそれぞれ係合されていることを特徴とする。
【０００９】
本考案のキャディバッグによると、上リング３０にヘッド枠８０が結合されていることを特徴とする。
【００１０】
本考案のキャディバッグによると、バッグカバー５０に固定構造５１が設けられており、固定構造５１により、バッグカバー５０は収容空間６０をカバーして固定されることを特徴とする。
【００１１】
本考案のキャディバッグによると、複数の支え棒（１０）は、互いに同じ高さに設けられた複数の固定リング（９０）を有し、底リング（２０）、上リング（３０）及び少なくとも一つのリング（４０）には、固定リング（９０）と結合するための結合リング（９１）がそれぞれ設けられていることを特徴とする。
【００１２】
本考案のキャディバッグによると、複数の支え棒（１０）の底リング（２０）が固定されている位置よりも低い部分は、外側へ徐々に屈折する支持部（１１）が形成されることを特徴とする。
【考案の効果】
【００１３】
本考案のキャディバッグによれば、次のような効果がある。
（１）枠体の構造の体積を最大限に減少することが可能であり、在庫の体積を減少することが可能となるため、運輸のコストを減少することが可能である。
【００１４】
（２）棒状の部材によって構成され、製造が簡単であり、生産コストが低いため、販売価格を低く抑えることが可能となりよく売れる。
【００１５】
（３）利用したいときには、組み立てが迅速かつ容易である。
【図面の簡単な説明】
【００１６】
【図１】従来のキャディバッグの構造を示す斜視図である。
【図２】本考案の実施例１のボディーの構造を示す斜視図である。
【図３】本考案の実施例１のボディーにバッグカバーが取り付けられている状態を示す斜視図である。
【図４】本考案の実施例１のボディーにヘッド枠を取り付ける方法を示す斜視図である。
【図５】本考案の実施例２のボディーの構造を示す斜視図である。
【図６Ａ】本考案の実施例２の上リングを引き上げることにより、支え棒を展開する動作を示す図である。
【図６Ｂ】本考案の実施例２の上リングを引き上げることにより、支え棒を展開する動作を示す図である。
【図６Ｃ】本考案の実施例２の上リングを引き上げることにより、支え棒を展開する動作を示す図である。
【考案を実施するための形態】
【００１７】
以下、本考案の実施の形態を図面に基づいて説明する。
【００１８】
（実施例１）
図２及び図３を参照する。図２は本考案の実施例１のボディーの構造を示す斜視図であり、図３は本考案の実施例１のボディーにバッグカバーが取り付けられている状態を示す斜視図である。本実施例のキャディバッグは、複数の支え棒１０と、底リング２０と、上リング３０と、少なくとも一つのリング４０と、バッグカバー５０と、を含む。底リング２０の周縁には、複数の支え棒１０に対応する底固定片２１が複数配列されている。上リング３０の周縁には、複数の支え棒１０に対応する上固定片３１が複数配列されている。複数の支え棒１０の両端は、複数の底固定片２１と複数の上固定片３１によって、それぞれ固定されていることにより、収容空間６０が形成される。
【００１９】
具体的には、締結子７０の締結により、複数の支え棒１０の両端は、複数の底固定片２１と、複数の上固定片３１とによって、それぞれ固定されている。このように、複数の支え棒１０、複数の底固定片２１及び複数の上固定片３１が結合して収容空間６０を形成する。複数の支え棒１０の底リング２０によって固定された位置よりも低い部分には、外側へ徐々に屈折する支持部１１が形成される。支持部１１により、複数の支え棒１０をさらに安定して自立されることができる。また、少なくとも一つのリング４０は、複数の支え棒１０によって固定されており、底リング２０と上リング３０の間に位置する。少なくとも一つのリング４０は、それぞれ複数の支え棒１０に対応する複数の係合溝４１を有する。複数の支え棒１０は複数の係合溝４１にそれぞれ係合されている。これにより、本実施例のキャディバッグ全体の構造強度を増加させることが可能である。バッグカバー５０は収容空間６０をカバーして固定される。このように、キャディバッグ１００が形成される。バッグカバー５０に固定構造５１が設けられている。固定構造５１により、バッグカバー５０は収容空間６０をカバーして固定される。固定構造５１には、ベルクロ（登録商標）、ジッパー、又はボタンなどを採用することが可能である。本実施例では、固定構造５１にベルクロ（登録商標）を採用する。図４を参照する。図４は本考案の実施例１のボディーにヘッド枠を取り付ける方法を示す斜視図である。上リング３０にヘッド枠８０を取り付けてもよい。ヘッド枠８０は、樹脂製のもの、又は布に覆われるものである。これにより、キャディバッグ１００の見栄えが良くなり、実用性も増加させることが可能である。
【００２０】
（実施例２）
図５及び図６Ａ乃至図６Ｃを参照する。図５は本考案の実施例２のボディーの構造を示す斜視図であり、図６Ａ乃至図６Ｃは、本考案の実施例２の上リングを引き上げることにより、支え棒を展開する動作を示す図である。組み立ての速度及び利便性を増加するために、複数の支え棒１０の互いに同じ高さの位置に複数の固定リング９０がそれぞれ設けられており、底リング２０、上リング３０及び少なくとも一つのリング４０には、複数の固定リング９０に対応して結合される、結合リング９１がそれぞれ設けられている。図６Ａに示すように、複数の支え棒１０は展開されていない状態にあり、図６Ｂに示すように、上リング３０を引き上げることにより、複数の支え棒１０、底リング２０及び少なくとも一つのリング４０が連動して引き上がり、図６Ｃに示すように、収容空間６０が形成される。すなわち、上リング３０を引き上げると、ゴルフクラブを収容するための収容空間６０を迅速に形成することが可能である。このように、本実施例のキャディバッグを利用したいときに、組み立てが迅速かつ容易である。
【産業上の利用可能性】
【００２１】
本考案は、キャディバッグに適用することができる。
【符号の説明】
【００２２】
１  キャディバッグ
２  円筒状ポリエチレンシート
３  バッグカバー
４  ヘッド枠
５  挿入開口
１０  支え棒
１１  支持部
２０  底リング
２１  底固定片
３０  上リング
３１  上固定片
４０  リング
４１  係合溝
５０  バッグカバー
５１  固定構造
６０  収容空間
７０  締結子
８０  ヘッド枠
９０  固定リング
９１  結合リング
１００  キャディバッグ
【図１】
0003195498.tif 000003
【図２】
0003195498.tif 000004
【図３】
0003195498.tif 000005
【図４】
0003195498.tif 000006
【図５】
0003195498.tif 000007
【図６Ａ】
0003195498.tif 000008
【図６Ｂ】
0003195498.tif 000009
【図６Ｃ】
0003195498.tif 000010